(57)【特許請求の範囲】
【請求項１】
Ｕ字状に形成され、その先端側に２つのアーム部および２つのリブを有すると共にその根本側に２つのロック用突起部を有する支持部と該支持部と一体形成されたフック部とからなるフックであって、携帯機器のケース本体に所定の間隔を置いて対向する位置に形成され、少なくとも２つの第１及び第２のロック部を有するロック用溝部と、ガイド用溝部とを備えたフック取付手段に取り付けられ、アーム部が第１のロック部にはめ込まれると共にロック用突起部がガイド用溝部に沿ってスライドされて挿入されたときにはベルトフックとなり、アーム部が第１または第２のロック部にはめ込まれると共にロック用突起部がガイド用溝部からはずされたときにはスタンドとなり、その場合において支持部に設けられたリブがスタンド角度を決定することを特徴とする携帯機器用スタンド兼ベルトフック。
【請求項２】
請求項１記載の携帯機器用スタンド兼ベルトフックにおいて、リブを弾性的に内側にたわませながら移動させることによりアーム部を第１または第２のロック部にはめ込むことが可能なことを特徴とする携帯機器用スタンド兼ベルトフック。
【発明の詳細な説明】
【０００１】
【発明の属する技術分野】
本発明は、携帯機器（テレビモニターやハンディートランシーバー等）の付属部品に関するものであり、特に、卓上等に置いて使用できる携帯機器用スタンド兼ベルトフックに関するものである。
【０００２】
【従来の技術】
従来の携帯機器のベルトフックは、例えば図７に示すような形状であり、携帯機器Ｅに取り付けたときベルトフックＢＨとしてのみしか使用することができなかった。すなわち、開いてしまうとベルトフックとしての機能（携帯機器をベルトに固定する機能）がなくなってしまう。
【０００３】
同様に、従来の携帯機器のスタンドは、図８に示すような形状を有するスタンドＳであり、卓上等で使用する際機器Ｅを立たせる機能しか持っていなかった。スタンドが無い携帯機器Ｅは、卓上等で立てて使用する際不安定なため、図９に示すように専用のスタンドホルダーＨが必要となってしまった。
【０００４】
【発明が解決しようとする課題】
本発明の目的は、スタンド機能を合わせ持ったベルトフックを１つの部品で提供する携帯機器用スタンド兼ベルトフックを提供することにある。
【０００５】
【課題を解決するための手段】
本発明による携帯機器用スタンド兼ベルトフックは、請求項１に記載のように、Ｕ字状に形成され、その先端側に２つのアーム部および２つのリブを有すると共にその根本側に２つのロック用突起部を有する支持部と該支持部と一体形成されたフック部とからなるフックであって、携帯機器のケース本体に所定の間隔を置いて対向する位置に形成され、少なくとも２つの第１及び第２のロック部を有するロック用溝部と、ガイド用溝部とを備えたフック取付手段に取り付けられ、アーム部が第１のロック部にはめ込まれると共にロック用突起部がガイド用溝部に沿ってスライドされて挿入されたときにはベルトフックとなり、アーム部が第１または第２のロック部にはめ込まれると共にロック用突起部がガイド用溝部からはずされたときにはスタンドとなり、その場合において支持部に設けられたリブがスタンド角度を決定することを特徴とする。
【０００６】
【課題を解決するための手段】
また、本発明による携帯機器用スタンド兼ベルトフックは、請求項２に記載のように、請求項１記載の携帯機器用スタンド兼ベルトフックにおいて、リブを弾性的に内側にたわませながら移動させることによりアーム部を第１または第２のロック部にはめ込むことが可能なことを特徴とする。
【０００７】
【発明の実施の形態】
以下に本発明にかかる携帯機器用スタンド兼ベルトフックの一実施例の具体的な構成を図１及び図２にしたがって説明する。
【０００８】
図１は携帯機器のケース本体の裏蓋を示し、（Ａ）は正面図、（Ｂ）は平面図、（Ｃ）は背面図、（Ｄ）は左側面図、（Ｅ）はＡ−Ａ線断面図、（Ｆ）はＢーＢ線断面図である。
裏蓋１は例えば樹脂成型品からなり、下半分より約半分の厚みに形成された上半分の表側には、所定の間隔を置いて対向する位置に隆起部２が一体形成されている。各隆起部２には、それぞれ互いに対向する側面側に凹形状のロック用溝部３と矩形状のガイド用溝部４が形成されている。（なお、この実施例では、係合溝部３及び４は裏蓋１の裏面から穴を開けて形成しているが、これに限らず、隆起部の側面から溝を穿つことにより形成しても良い。）
【０００９】
図２はフックを示し、（Ａ）は正面図、（Ｂ）は平面図、（Ｃ）は底面図、（Ｄ）は背面図、（Ｅ）は左側面図、（Ｆ）は右側面図である。
フック１１は例えば樹脂成型品からなり、湾曲連結部分で連結された支持部１１Ａとフック部１１Ｂを備えている。支持部１１ＡはＵ字状に形成されており、Ｕ字状の先端側に２つのアーム部１２と２つのリブ１３を有し、Ｕ字状の根本側に２つのロック用突起部１４を有している。フック部１１Ｂは弾性を有し、先端部１６付近に２つの突起１５を備えている。
【００１０】
取付時、まず、図３（Ａ）の正面図及び（Ｂ）の側面図に示すように、フック１１の支持部１１Ａを携帯機器Ｅの裏蓋１のガイド用溝部４に差し込み、次いで２つのリブ１３を指でつまんで弾性的に内側にたわませながら上方に移動させてアーム部１２をロック用溝部３の下側ロック部３ａにはめ込む。この状態では、フック１１は、下側ロック部３ａによってアーム部１２が裏蓋表面の上下方向の動きがロックされると共にフック部１１Ｂが裏蓋表面から離れる方向に回転可能なフリー状態に支持される。
【００１１】
次いで、図４（Ａ）の正面図及び（Ｂ）の側面図に示すように、再度２つのリブ１３を指でつまんで弾性的に内側にたわませながらアーム部１２をロック用溝部３の連結部３ｂを越えて上方にスライドさせて上側ロック部３ｃにはめ込む。このとき、ロック用突起部１４がガイド用溝部４に挿入されるので、フック部１１Ｂは裏蓋表面から離れる方向に対してロックされ動かない。
したがって、フック１１は、図４に示す状態時にベルトフックとして使用することができる。すなわち、図４に示す状態にあるとき、フック部１１Ｂの弾性に対抗してフック部１１Ｂを手で裏蓋表面からわずかに開きながらベルト（図示しない）を裏蓋表面とフック部１１ｂの間に通し、次いで手をフック部１１Ｂから離すと、突起１５が裏蓋表面に接して携帯機器Ｅがベルトに取り付けられる。
【００１２】
一方、図４に示す状態にあるフック１１をフックスタンドとして使用する際は、まず２つのリブ１３を指でつまんで弾性的に内側にたわませながらアーム部１２をロック用溝部３の上側ロック部３ｃから連結部３ｂを越えて下方にスライドさせて下側ロック部３ａにはめ込む。このとき、ロック用突起部１４がガイド用溝部４から出て外れるので、フック部１１Ｂは、図５（Ａ）に示すように、裏蓋表面から離れる方向に対してフリー状態となる。次に、図５（Ｂ）に示すようにリブ１３の先端が裏蓋表面に当たる所までフック部１１Ｂを開けば、図５（Ｃ）に示すようにスタンドとして使用できる。スタンド時のロックはアーム部１２で行なう。
【００１３】
なお、アーム部１２を下側ロック部３ａでロックする場合（図５参照）と上側ロック部３ｃでロックする場合（図６参照）とで、携帯機器Ｅのスタンドの傾きを２段階に使いわけることができる。すなわち、図５に示す状態から、さらに、フック部１１Ｂを裏蓋表面からある程度離れた状態を維持しながら２つのリブ１３を指でつまんで弾性的に内側にたわませながらアーム部１２をロック用溝部３の下側ロック部３ａから連結部３ｂを越えて上方にスライドさせて上側ロック部３ｃにはめ込む。次に、リブ１３の先端が裏蓋表面に当たる所までフック部１１Ｂを開けば、同様にスタンドとして使用できる。
そこで、図５では、携帯機器Ｅが支持面ＳＦに対して大きな角度で支持され、図６では図５より小さな角度で支持される。
【００１４】
以上のように、フックを、通常の携帯時にはベルトフックとして利用ができ、卓上等で使用する際は工具等を使わずにスタンドとしても利用できる。
また、スタンドの角度も２段階を使いわけることができ、利用者の好みに合わせて使用可能となる。
【００１５】
【実施例】
本発明の実施例は上記に限らず、種々の変形が可能である。例えば、上述の例ではケース本体側のロック部を上側及び下側の２個としたが、このロック部の数を増やすことで数段階のスタンド角度の調整が可能となる。
また、この構造はテレビやモニターに限らず、ハンディトランシーバー、受信機等幅広い携帯機器に利用することが可能である。
【００１６】
携帯機器は年々小型化、薄型化されている。小さく薄くなれば卓上等で置いて利用する際に安定して立てられなくなる。この問題に対して、本発明のベルトフックはスタンドとしての機能も有しているため、卓上等の使用でも機器は安定して立てることができる。
また、携帯時にはベルトフックとして機能するため携帯性も良い。
ベルトフックと専用スタンドの２つを用意する必要なく、１つの部品で両方の働きができる。
また、１つの部品で行えるため安価にもなる。
【００１７】
【発明の効果】
本発明によれば、ベルトフックとスタンドを兼ねた構造が得られる。
【図面の簡単な説明】
【図１】本発明による携帯機器用スタンド兼ベルトフックの一実施例におけるケース本体の裏蓋構造を示し、（Ａ）は正面図、（Ｂ）は平面図、（Ｃ）は背面図、（Ｄ）は左側面図、（Ｅ）はＡ−Ａ線断面図、（Ｆ）はＢーＢ線断面図である。
【図２】本発明による携帯機器用スタンド兼ベルトフックの一実施例におけるフックを示し、（Ａ）は正面図、（Ｂ）は平面図、（Ｃ）は底面図、（Ｄ）は背面図、（Ｅ）は左側面図、（Ｆ）は右側面図である。
【図３】本発明による携帯機器用スタンド兼ベルトフックの一実施例におけるフックの取り付け状態を示し、（Ａ）及び（Ｂ）はそれぞれフリー状態時の正面図及び側面図である。
【図４】本発明による携帯機器用スタンド兼ベルトフックの一実施例におけるフックの取り付け状態を示し、（Ａ）及び（Ｂ）はそれぞれベルトフック状態時の正面図及び側面図である。
【図５】本発明による携帯機器用スタンド兼ベルトフックの一実施例におけるフックの取り付け状態を示し、（Ａ）、（Ｂ）及び（Ｃ）はスタンド時の遷移図である。
【図６】本発明による携帯機器用スタンド兼ベルトフックの一実施例におけるフックの取り付け状態を示し、（Ａ）及び（Ｂ）はスタンド時の遷移図である。
【図７】従来のベルトフックの一例を示し、（Ａ）はベルトフックの斜視図、（Ｂ）はベルトフック取り付け後の携帯機器の斜視図である。
【図８】従来のスタンドの一例を示し、（Ａ）はスタンドの斜視図、（Ｂ）はスタンド取り付け後の携帯機器の斜視図である。
【図９】従来のスタンドホルダーの一例を示し、（Ａ）はスタンドホルダーの斜視図、（Ｂ）はスタンドホルダー使用時の携帯機器の斜視図である。
【符号の説明】
１   裏蓋
２   隆起部
３   ロック用溝部
３ａ  下側ロック部
３ｂ  連結部
３ｃ  上側ロック部
４   ガイド用溝部
１１  フック
１１Ａ 支持部
１１Ｂ フック部
１２  アーム部
１３  リブ
１４  ロック用突起部
１５  突起
【図１】
0003683703.tif 000002
【図２】
0003683703.tif 000003
【図３】
0003683703.tif 000004
【図４】
0003683703.tif 000005
【図５】
0003683703.tif 000006
【図６】
0003683703.tif 000007
【図７】
0003683703.tif 000008
【図８】
0003683703.tif 000009
【図９】
0003683703.tif 000010